(57)【要約】本発明は着脱可能なインプラント結合補綴物に関し、より詳しくは移植されたインプラントに結合する結合補綴物であって、インプラントと結合補綴物が易く結合されるようにし、再施術及び補正時にも結合及び分離が容易な着脱可能なインプラント結合補綴物に関する。本発明は次のような効果を発揮する。すなわち、ネジ締結方式を用いず、易しく結合することができる特有の特徴的構造によって、緩み及び破折が発生しなく、歯牙に穴を開ける必要がなくて耐久性が低下することも防止することができる。また、インプラントの植込み後に問題が発生するとき、歯牙を破壊せずに易しく分離することができるようにすることによって患者の不便を改善させる効果を発揮する。【選択図】図２
2019506257.tif 000002
【特許請求の範囲】
【請求項１】
インプラント（１０）に結合される補綴物であって、
インプラント（１０）の上部と結合されるアバットメント（１００）と、
前記アバットメント（１００）の上部と結合され、上部にクラウン（２０）が付着されるクラウン結合構造物（２００）とを含んでなり、
前記アバットメント（１００）は、
インプラント（１０）と結合するインプラント結合部（１０１）と、
クラウン結合構造物（２００）と結合する結合構造体（１５０）とを含んでなり、
前記結合構造体（１５０）には、
アバットメント（１００）の上部外周面が内側に折り曲げられたボール装着部（１５１）が形成され、
前記クラウン結合構造物（２００）には、
垂直方向に貫設され、一側にネジ部が形成された結合分離道具（１）が導入される結合分離道具導入部（２１１）と、
クラウン（２０）が付着されるクラウン付着部（２１０）と、
アバットメント（１００）と結合するアバットメント結合部（２５０）とが形成され、
前記アバットメント結合部（２５０）は、
前記結合構造体（１５０）が導入されるアバットメント結合部胴体（２６０）と、
多数のアバットメント固定ボール（２７０）と、
一側が切開された固定リング（２８０）とを含んでなり、
前記アバットメント結合部胴体（２６０）には、
前記結合分離道具導入部（２１１）と連通する結合分離ネジ部（２９０）が形成され、
外周面には内方に行くほど半径がますます小さくなるように形成された多数のアバットメント固定ボールホール（２６１）が形成され、
前記結合分離ネジ部（２９０）は、
前記結合分離道具（１）の一側に形成されたネジ部と対応するように形成され、
前記アバットメント固定ボールホール（２６１）は、
前記アバットメント固定ボール（２７０）をそれぞれ対応して収容し、
前記固定リング（２８０）は、
前記アバットメント固定ボール（２７０）が収容された多数のアバットメント固定ボールホール（２６１）の外部に結合され、
アバットメント（１００）と結合するとき、アバットメント固定ボール（２７０）がボール装着部（１５１）に固定されるように形成されることを特徴とする、着脱可能なインプラント結合補綴物。
【請求項２】
前記結合構造体（１５０）は、
ボール装着部（１５１）の上部に多角形に形成された多角形頭（１５２）をさらに含んでなり、
前記アバットメント結合部胴体（２６０）には、
前記多角形頭（１５２）に対応する多数の溝が形成された多角形頭収容部（２６２）が形成され、クラウン結合構造物（２００）との結合後にクラウン結合構造物（２００）が回転することを防止するように形成されることを特徴とする、請求項１に記載の着脱可能なインプラント結合補綴物。
【請求項３】
前記アバットメント結合部（２５０）は、
前記固定リング（２８０）の切開部に位置する固定リング回転防止ボール（２７５）をさらに含んでなり、
前記アバットメント結合部胴体（２６０）には前記固定リング回転防止ボール（２７５）と対応する回転防止ボール収容穴（２６５）が形成され、
前記クラウン結合構造物（２００）との結合後に固定リング（２８０）が回転することを防止するように形成されることを特徴とする、請求項１又は２記載の着脱可能なインプラント結合補綴物に関するものである。
【発明の詳細な説明】
【技術分野】
【０００１】
本発明は着脱可能なインプラント結合補綴物に関し、より詳しくは移植されたインプラントに結合する結合補綴物であって、着脱可能に設計してインプラント及び結合補綴物を補正及び再施術時に易しく分離及び結合することができる着脱可能なインプラント結合補綴物に関する。
【背景技術】
【０００２】
歯牙用インプラントは欠損した歯牙の修復のための補綴物支持用途に顎骨内又は上に植え込まれる固定体である。
【０００３】
インプラントは普通歯茎と歯茎骨に植え込まれる人工歯牙又は第３の歯牙とも言う。
【０００４】
歯牙の欠損がある部位又は歯牙を抜いた部位の顎骨に骨移植、仮骨延長術などの付加的な施術によって、十分に包むように体積を増やした顎骨に生体適合的インプラント本体を植え込んで自然歯の機能を回復させる歯科治療技術である。
【０００５】
正常機能が維持されている顎骨と植え込まれたインプラント本体の表面との形態的、生理的、直接的結合である骨結合がなされた後、インプラントの周りの顎骨の骨改造の過程を経ることになる。
【０００６】
このようなインプラントは一般的にネジ状の骨内インプラントが主に使われ、インプラント上部構造物（アバットメント）をネジで締結する方式である。
【０００７】
このように、ネジ締結方式で締結される従来の方式はネジの緩み現象が発生し、ネジが折れる場合が発生する。
【０００８】
また、歯牙をインプラントに固定するために歯牙に穴を開けなければならないため、審美的な効果と耐久性が低下し、インプラントの植込み後に問題が発生するとき、歯牙（クラウン又は金属）を破壊しなければならない。
【０００９】
このように、ネジ締結方式で締結する従来の方式は、追加費用の発生、追加の治療及び施術に浪費される時間によって患者に不便を与え、クラウンと結合構造体の結合時、接着剤を口腔内で接着しなければならない不便と、残存の接着剤によって炎症及び歯周炎がたびたび発生することが現実情である。
【００１０】
このような点を改善するために、本発明はネジ締結方式を用いず、易しく結合することができる特有の特徴的構造によって、緩み及び破折が発生しなく、歯牙に穴を開ける必要がなくて審美的な効果と耐久性が低下することも防止することができる。
【００１１】
また、インプラントの植込み後に問題が発生するとき、歯牙を破壊せずに易しく分離されることができるようにすることにより、患者の不便を解消する着脱可能なインプラント結合補綴物を開発することになった。
【発明の概要】
【発明が解決しようとする課題】
【００１２】
前記問題点を解決するための本発明の目的は、既存に使ったネジ締結方式によって発生したネジの緩み現象及びネジが折れる場合と、歯牙をインプラントに固定するために歯牙に穴を開けなければならないため、審美的な効果と耐久性が低下する欠点を解決し、インプラントの植込み後に問題が発生のとき、歯牙（クラウン又は金属）を破壊しなければならない欠点を解決するために、ネジ締結方式を用いず、易しく結合することができる特有の特徴的構造によって緩み及び破折が発生しない結合補綴物を提供し、またインプラントの植込み後に問題が発生するとき、歯牙を破壊せずに易しく分離することができる着脱可能なインプラント結合補綴物を提供することにある。
【課題を解決するための手段】
【００１３】
前記のような目的を達成するための本発明の解決手段を提示しようとする。
【００１４】
すなわち、インプラント１０に結合される補綴物であって、インプラント１０の上部と結合されるアバットメント１００と、前記アバットメント１００の上部と結合され、上部にクラウン２０が付着されるクラウン結合構造物２００とを含んでなり、
【００１５】
前記アバットメント１００は、インプラント１０と結合するインプラント結合部１０１と、クラウン結合構造物２００と結合する結合構造体１５０とを含んでなり、
【００１６】
前記結合構造体１５０には、アバットメント１００の上部外周面が内側に折り曲げられたボール装着部１５１が形成され、
【００１７】
前記クラウン結合構造物２００には、垂直方向に貫設され、一側にネジ部が形成された結合分離道具１が導入される結合分離道具導入部２１１と、クラウン２０が付着されるクラウン付着部２１０と、アバットメント１００と結合するアバットメント結合部２５０とが形成され、
【００１８】
前記アバットメント結合部２５０は、前記結合構造体１５０が導入されるアバットメント結合部胴体２６０と、多数のアバットメント固定ボール２７０と、
【００１９】
一側が切開された固定リング２８０とを含んでなり、
【００２０】
前記アバットメント結合部胴体２６０には、前記結合分離道具導入部２１１と連通する結合分離ネジ部２９０が形成され、外周面には内方に行くほど半径がますます小さくなるように形成された多数のアバットメント固定ボールホール２６１が形成され、
【００２１】
前記結合分離ネジ部２９０は、前記結合分離道具１の一側に形成されたネジ部と対応するように形成され、
【００２２】
前記アバットメント固定ボールホール２６１は、前記アバットメント固定ボール２７０をそれぞれ対応して収容し、
【００２３】
前記固定リング２８０は、前記アバットメント固定ボール２７０が収容された多数のアバットメント固定ボールホール２６１の外部に結合され、アバットメント１００と結合するとき、アバットメント固定ボール２７０がボール装着部１５１に固定されるように形成されることを特徴とすることによって本発明の課題を解決する。
【発明の効果】
【００２４】
本発明は次のような効果を発揮する。
【００２５】
すなわち、ネジ締結方式を用いず、易しく結合することができる特有の特徴的構造によって、緩み及び破折が発生しなく、歯牙に穴を開ける必要がなくて審美的な効果と耐久性が低下することも防止することができる。
【００２６】
また、インプラントの植込み後に問題が発生するとき、歯牙を破壊せずに易しく分離することができるようにすることにより、炎症又は歯周炎の治療時に患者の不便を改善させる効果と費用を節減する効果を発揮する。
【図面の簡単な説明】
【００２７】
【図１】本発明の実施例による着脱可能なインプラント結合補綴物の全体的な構成を示す部分断面図である。
【図２】本発明の実施例による着脱可能なインプラント結合補綴物の全体的な構成を分解して示す分解図である。
【図３】本発明の実施例による着脱可能なインプラント結合補綴物のクラウン結合構造物２００の全体的な構成を示す斜視図である。
【図４】本発明の実施例による着脱可能なインプラント結合補綴物のクラウン結合構造物２００の全体的な構成を分解して示す分解図である。
【図５】アバットメント結合部胴体２６０にアバットメント固定ボール２７０が結合された構成を示す斜視図である。
【図６】アバットメント結合部胴体２６０にアバットメント固定ボール２７０と固定リング２８０が結合された構成を示す斜視図である。
【図７】クラウン結合構造物２００をＣ方向に切断した切断面を示す断面図である。
【図８】本発明の実施例によるアバットメント１００の全体的な構成を示す斜視図である。
【図９】アバットメント１００とクラウン結合構造物２００の結合過程を示した図である。
【図１０】アバットメント１００とクラウン結合構造物２００の結合過程を示した図である。
【図１１】アバットメント１００とクラウン結合構造物２００の分離過程を示した図である。
【図１２】アバットメント１００とクラウン結合構造物２００の分離過程を示した図である。
【図１３】アバットメント１００とクラウン結合構造物２００の分離過程を示した図である。
【図１４】本発明の実施例による着脱可能なインプラント結合補綴物の全体的な構成を示す斜視図である。
【図１５】クラウン２０が付着されたクラウン結合構造物２００の施術場面を示した図である。
【発明を実施するための形態】
【００２８】
発明の実施のための最善の形態は次のようである。
【００２９】
インプラント１０に結合される補綴物は、インプラント１０の上部と結合されるアバットメント１００と、前記アバットメント１００の上部と結合され、上部にクラウン２０が付着されるクラウン結合構造物２００とを含んでなり、
【００３０】
前記アバットメント１００は、インプラント１０と結合するインプラント結合部１０１と、クラウン結合構造物２００と結合する結合構造体１５０とを含んでなり、
【００３１】
前記結合構造体１５０には、アバットメント１００の上部外周面が内側に折り曲げられたボール装着部１５１が形成され、
【００３２】
前記クラウン結合構造物２００には、垂直方向に貫設され、一側にネジ部が形成された結合分離道具１が導入される結合分離道具導入部２１１と、クラウン２０が付着されるクラウン付着部２１０と、アバットメント１００と結合するアバットメント結合部２５０とが形成され、
【００３３】
前記アバットメント結合部２５０は、前記結合構造体１５０が導入されるアバットメント結合部胴体２６０と、多数のアバットメント固定ボール２７０と、一側が切開された固定リング２８０とを含んでなり、
【００３４】
前記アバットメント結合部胴体２６０には、前記結合分離道具導入部２１１と連通する結合分離ネジ部２９０が形成され、外周面には内方に行くほど半径がますます小さくなるように形成された多数のアバットメント固定ボールホール２６１が形成され、
【００３５】
前記結合分離ネジ部２９０は、前記結合分離道具１の一側に形成されたネジ部と対応するように形成され、
【００３６】
前記アバットメント固定ボールホール２６１は、前記アバットメント固定ボール２７０をそれぞれ対応して収容し、
【００３７】
前記固定リング２８０は、前記アバットメント固定ボール２７０が収容された多数のアバットメント固定ボールホール２６１の外部に結合され、アバットメント１００と結合するとき、アバットメント固定ボール２７０がボール装着部１５１に固定されるように形成されることを特徴とする着脱可能なインプラント結合補綴物である。
【００３８】
以下、本発明に添付された図面に基づいて発明の実施のための具体的な内容において本発明の好適な一実施例を詳細に説明する。
【００３９】
まず、図面で、同じ構成要素又は部品はできるだけ同じ参照符号で示していることに留意しなければならない。
【００４０】
本発明の説明において、関連の公知機能又は構成についての具体的な説明は本発明の要旨をあいまいにしないように省略する。
【００４１】
本明細書で使う程度を示す用語“約”、“実質的に”などは言及した意味に固有の製造及び物質許容誤差が提示されるとき、その数値に近い意味として使われ、本発明の理解を助けるために正確であるとか絶対的な数値が言及された開示内容を非良心的な侵害者が不当に用いることを防止するために使われる。
【００４２】
まず、本発明をまとめると次のようである。
【００４３】
すなわち、インプラント１０に結合される補綴物は、インプラント１０に結合される補綴物は、インプラント１０の上部と結合されるアバットメント１００と、前記アバットメント１００の上部と結合され、上部にクラウン２０が付着されるクラウン結合構造物２００とを含んでなり、前記アバットメント１００は、インプラント１０と結合するインプラント結合部１０１と、クラウン結合構造物２００と結合する結合構造体１５０とを含んでなり、前記結合構造体１５０には、アバットメント１００の上部外周面が内側に折り曲げられたボール装着部１５１が形成され、前記クラウン結合構造物２００には、垂直方向に貫設され、一側にネジ部が形成された結合分離道具１が導入される結合分離道具導入部２１１と、クラウン２０が付着されるクラウン付着部２１０と、アバットメント１００と結合するアバットメント結合部２５０とが形成され、前記アバットメント結合部２５０は、前記結合構造体１５０が導入されるアバットメント結合部胴体２６０と、多数のアバットメント固定ボール２７０と、一側が切開された固定リング２８０とを含んでなり、前記アバットメント結合部胴体２６０には、前記結合分離道具導入部２１１と連通する結合分離ネジ部２９０が形成され、外周面には内方に行くほど半径がますます小さくなるように形成された多数のアバットメント固定ボールホール２６１が形成され、前記結合分離ネジ部２９０は、前記結合分離道具１の一側に形成されたネジ部と対応するように形成され、前記アバットメント固定ボールホール２６１は、前記アバットメント固定ボール２７０をそれぞれ対応して収容し、前記固定リング２８０は、前記アバットメント固定ボール２７０が収容された多数のアバットメント固定ボールホール２６１の外部に結合され、アバットメント１００と結合するとき、アバットメント固定ボール２７０がボール装着部１５１に固定されるように形成され、前記結合構造体１５０はボール装着部１５１の上部に多角形に形成された多角形頭１５２をさらに含んでなり、前記アバットメント結合部胴体２６０には前記多角形頭１５２に対応する多数の溝が形成された多角形頭収容部２６２が形成され、クラウン結合構造物２００との結合後にクラウン結合構造物２００が回転することを防止するように形成され、前記アバットメント結合部２５０は前記固定リング２８０の切開部に位置する固定リング回転防止ボール２７５をさらに含んでなり、前記アバットメント結合部胴体２６０には前記固定リング回転防止ボール２７５と対応する回転防止ボール収容穴２６５が形成され、前記クラウン結合構造物２００との結合後に固定リング２８０が回転することを防止するように形成されることを特徴とする着脱可能なインプラント結合補綴物に関するものである。
【００４４】
本発明は一般的に従来に使ったネジ締結方式によって発生したネジの緩み現象及びネジが折れる現象と、インプラントに固定するために歯牙に穴を開けなければならないため耐久性が低下する欠点と、インプラントの植込み後に問題が発生するとき、歯牙（クラウン又は金属）を破壊しなければならない欠点を改善し、ネジ締結方式を用いず、易しく結合することができる特有の特徴的構造によって緩み及び破折が発生しなく、インプラントの植込み後に問題が発生するとき、歯牙を破壊せずに易しく分離することができる着脱可能なインプラント結合補綴物である。
【００４５】
図１は本発明の実施例による着脱可能なインプラント結合補綴物の全体的な構成を示す部分断面図である。
【００４６】
図１に示すように、本発明は着脱可能なインプラント結合補綴物であって、インプラント施術のために移植されたインプラント１０に結合するアバットメント１００と、クラウン２０が付着され、前記アバットメント１００に結合されるクラウン結合構造物２００とを含んでなる。
【００４７】
前記アバットメント１００はインプラント１０に結合されるインプラント結合部１０１が形成されており、前記インプラント結合部１０１はインプラント１０と対応するネジ部が形成されている。
【００４８】
前記クラウン結合構造物２００はアバットメント１００と結合されるもので、上端部に結合分離道具導入部２１１が貫設され、クラウン２０が付着されるクラウン付着部２１０が形成される。
【００４９】
前記クラウン２０は一般的な方法である接着剤などを用いてクラウン付着部２１０の外部に付着する方式を用いることが好ましいが、クラウン２０を付着する方法を接着剤で付着する方法に限定されない。
【００５０】
前記アバットメント１００とクラウン結合構造物２００の結合部位を詳細に説明すると次のようである。
【００５１】
図１に結合部位を詳細に説明するために結合部位を部分断面図で示した。
【００５２】
アバットメント１００とクラウン結合構造物２００の結合は、アバットメント固定ボール２７０が結合構造体１５０に形成されたボール装着部１５１に対応して装着されることにより、アバットメント１００とクラウン結合構造物２００が結合される。
【００５３】
前記ボール装着部１５１は、図９から把握することができるように、アバットメント固定ボール２７０が装着されることができるように凹設される。
【００５４】
また、前記アバットメント１００とクラウン結合構造物２００の結合がなかなか分離されないように固定リング２８０が形成され、前記固定リング２８０はアバットメント固定ボール２７０がボール装着部１５１の表面に密着するためにアバットメント結合部胴体２６０の外部面を取り囲むように形成される。
【００５５】
図２は本発明の実施例による着脱可能なインプラント結合補綴物の全体的な構成を分解して示す分解図である。
【００５６】
図２に示すように、着脱可能なインプラント結合補綴物の全体的な構成は次のようである。
【００５７】
着脱可能なインプラント結合補綴物はクラウン結合構造物２００とアバットメント１００の結合によって構成される。
【００５８】
前記クラウン結合構造物２００は、クラウン２０が付着されるクラウン付着部２１０と、前記アバットメント１００と結合する役割をするアバットメント結合部２５０とを含んでなる。
【００５９】
前記クラウン付着部２１０は外周面にクラウン２０が付着され、上端部の内部には結合分離道具導入部２１１が貫設される。
【００６０】
図２を参照すると、６個のアバットメント固定ボール２７０と１個の固定リング回転防止ボール２７５が備えられている。前記アバットメント固定ボール２７０はアバットメント固定ボールホール２６１にそれぞれ一つずつ収容され、固定リング回転防止ボール２７５は回転防止ボール収容穴２６５に装着される。また、前記アバットメント固定ボール２７０は７個又は８個が形成されることができ、固定リング回転防止ボール２７５も２個又は３個が形成されることができるので、前述した個数に限定されない。
【００６１】
具体的に説明すると、前記アバットメント結合部２５０は、アバットメント１００の上部に形成された結合構造体１５０が導入されるアバットメント結合部胴体２６０と、多数のアバットメント固定ボール２７０と、一側が切開された固定リング２８０とが形成され、アバットメント結合部胴体２６０にアバットメント固定ボール２７０と固定リング２８０が結合する。
【００６２】
また、前記固定リング２８０の切開部に固定リング回転防止ボール２７５が形成されることが好ましい。その理由は、固定リング２８０が前記結合後に回転することを防止するためである。
【００６３】
前記アバットメント結合部胴体２６０は内方に半径が減少する多数のアバットメント固定ボールホール２６１が形成されて前記アバットメント固定ボール２７０のそれぞれを収容する。
【００６４】
前記固定リング２８０は前記アバットメント固定ボール２７０が収容された多数のアバットメント固定ボールホール２６１の外部と結合され、前記アバットメント１００との結合時、アバットメント固定ボール２７０をボール装着部１５１に固定させる。
【００６５】
前記固定リング２８０は一側が切開された形態に形成されて所定の弾性を有する。
【００６６】
このような固定リング２８０は、アバットメント１００との結合時、アバットメント固定ボール２７０の外部に形成された固定リング２８０がちょっと広がってアバットメント固定ボール２７０に空間を与えることによって結合構造体１５０が導入されるようにする。
【００６７】
前記結合構造体１５０の導入後、アバットメント固定ボール２７０は結合構造体１５０に形成されたボール装着部１５１に対応して装着され、易しく分離されしないように固定リング２８０がアバットメント固定ボール２７０をボール装着部１５１に密着させる。
【００６８】
アバットメント１００は結合構造体１５０とインプラント結合部１０１からなる。
【００６９】
前記結合構造体１５０は、アバットメント固定ボール２７０が装着されるように外周面が折り曲げられたボール装着部１５１が形成されており、
【００７０】
前記ボール装着部１５１の上部に多角形の多角形頭１５２がさらに形成され、図示されてはいないが、前記アバットメント結合部胴体２６０の内部に形成された多数の溝が備えられた前記多角形頭収容部２６２に結合することにより、クラウン結合構造物２００がアバットメント１００と結合した後に回転することを防止する。
【００７１】
このように結合されたクラウン結合構造物２００とアバットメント１００は、アバットメント結合部胴体２６０の内部に形成された結合分離ネジ部２９０とクラウン付着部２１０の上部に形成された結合分離道具導入部２１１を通して結合分離道具１を導入することによって易しく分離することができる。
【００７２】
すなわち、結合分離ネジ部２９０と連通するように形成された結合分離道具導入部２１１に、一側に前記結合分離ネジ部２９０と対応するネジ部が形成された結合分離道具１を導入して回転させることによってアバットメント１００を押し出してアバットメント１００とクラウン結合構造物２００を易しく分離することができるものである。
【００７３】
前記多角形頭１５２は、アバットメント１００と結合したクラウン結合構造物２００が回転することを防止するために、多角形に形成されることが好ましいが、
【００７４】
２個以上の歯牙を施術する場合、２個の歯牙が連結されて施術されるから、回転することを防止しなくても良いので、円形及び他の図形に自由に変形して形成することができる。
【００７５】
図３は本発明の実施例による着脱可能なインプラント結合補綴物のクラウン結合構造物２００の全体的な構成を示す斜視図である。
【００７６】
図３に示すように、クラウン結合構造物２００を下側から見た形態を示すもので、アバットメント結合部胴体２６０の内部に多数の溝が形成された多角形頭収容部２６２によって、クラウン結合構造物２００がアバットメント１００と結合した後に回転することを防止するように形成されたものである。
【００７７】
図４は本発明の実施例による着脱可能なインプラント結合補綴物のクラウン結合構造物２００の全体的な構成を分解して示す分解図である。
【００７８】
図４はクラウン結合構造物２００の分解された全体的な構成を示した図である。
【００７９】
図示のように、固定リング回転防止ボール２７５は固定リング２８０の切開部分に位置するように形成される。
【００８０】
前記固定リング回転防止ボール２７５はアバットメント結合部胴体２６０に形成された回転防止ボール収容穴２６５に装着されて固定され、アバットメント結合部胴体２６０と固定リング２８０が締結するとき、固定リング２８０の切開部に固定リング回転防止ボール２７５が位置することによって固定リング２８０が回転することを防止する役割をする。
【００８１】
図５は本発明の実施例によるクラウン結合構造物２００を示すもので、アバットメント結合部胴体２６０にアバットメント固定ボール２７０が結合された構成を示す斜視図である。
【００８２】
図５に示すように、アバットメント固定ボール２７０がアバットメント固定ボールホール２６１に収容され、固定リング回転防止ボール２７５は回転防止ボール収容穴２５６に位置する。
【００８３】
図６は本発明の実施例によるアバットメント結合部胴体２６０にアバットメント固定ボール２７０と固定リング２８０が結合された構成を示す斜視図である。
【００８４】
図５及び図６に示すように、固定リング２８０はアバットメント固定ボールホール２６１とアバットメント固定ボール２７０が収容された回転防止ボール収容穴２６５が位置するアバットメント結合部胴体２６０の外部面に結合され、固定リング２８０の切開部の間に固定リング回転防止ボール２７５が結合される。
【００８５】
図７は本発明の実施例によるクラウン結合構造物２００をＣ方向に切断した切断面を示す断面図である。
【００８６】
図７に示すように、クラウン結合構造物２００をＣ方向に切断して示した内部切断面であって、アバットメント固定ボールホール２６１、アバットメント固定ボール２７０、固定リング回転防止ボール２７５及び固定リング２８０の結合関係を示した図である。
【００８７】
図８は本発明の実施例によるアバットメント１００の全体的な構成を示す斜視図である。
【００８８】
図８に示すように、アバットメント１００は、インプラント１０と結合するインプラント結合部１０１と、クラウン結合構造物２００と結合する結合構造体１５０とが形成され、前記結合構造体１５０は、アバットメント１００の上部に、外周面が折り曲げられたボール装着部１５１とボール装着部１５１の上部の多角形頭１５２が形成されたものを示した図である。
【００８９】
図９及び図１０はアバットメント１００とクラウン結合構造物２００の結合過程を示した図である。
【００９０】
アバットメント１００とクラウン結合構造物２００の結合過程は次のようである。
【００９１】
前記アバットメント１００の上部、すなわち結合構造体１５０がクラウン結合構造物２００に形成されたアバットメント結合部胴体２６０の下部にＲ３の方向に導入される。
【００９２】
このとき、結合構造体１５０がアバットメント固定ボール２７０をＲ１及びＲ２の方向に押し出しながら結合される。
【００９３】
前記Ｒ１及びＲ２の方向に押し出されたアバットメント固定ボール２７０は固定リング２８０の弾力によって再びＲ４及びＲ５の方向に移動し、この過程で結合されたアバットメント１００に形成されたボール装着部１５１に収容されて固定される。
【００９４】
この構造によって易い結合が可能になる。
【００９５】
図１１〜図１３はアバットメント１００とクラウン結合構造物２００の分離過程を示した図である。
【００９６】
アバットメント１００とクラウン結合構造物２００の分離過程は次のようである。
【００９７】
前記結合されたアバットメント１００とクラウン結合構造物２００は一側にネジ部が形成された結合分離道具１を用いて分離することが好ましい。
【００９８】
前記結合分離道具１のネジ部は前記アバットメント結合部胴体２６０に形成された結合分離ネジ部２９０と対応するように形成され、他側には把持して回しやすい取っ手が形成されることが好ましい。
【００９９】
その理由は、結合分離道具１を回転させてアバットメント１００とクラウン結合構造物２００を手軽く分離するためである。
【０１００】
前記結合分離道具１を結合分離道具導入部２１１に、すなわちＲ６の方向（図１１参照）に導入し、前記結合分離ネジ部２９０に結合分離道具１のネジ部を対応させてＲ７の方向（図１２参照）に回転させる。
【０１０１】
このとき、結合分離道具１は結合分離ネジ部２９０と締結されるとともに、アバットメント１００の上部、すなわち多角形頭１５２を押し出すことになる。
【０１０２】
したがって、アバットメント１００はＲ８の方向（図１３参照）に押し出されることにより、クラウン結合構造物２００とアバットメント１００の結合が手軽く分離される。
【０１０３】
図１４は本発明の実施例による着脱可能なインプラント結合補綴物の全体的な構成を示す斜視図である。
【０１０４】
図１４は着脱可能なインプラント結合補綴物の結合された形態を示した斜視図である。
【０１０５】
図１５はクラウン２０が付着されたクラウン結合構造物２００を施術する場面を示した図である。
【０１０６】
図１５に示すように、歯茎Ａに移植されたインプラント１０にアバットメント１００を結合し、アバットメント１００の上部に、クラウンが付着されたクラウン結合構造物２００を結合するものである。
【０１０７】
この方式は、クラウンを回転させてネジ結合方式で施術する従来の技術とは違い、易しく押して締結することができる方式であり、施術が比較的簡単であり、結合構造体１５０を上部に行くほど細くなる構造にも形成することができるので、施術の際にＢ領域内で自由に締結することができる利点がある。
【０１０８】
このように、本発明は、既存に使ったネジ締結方式によって発生したネジの緩み現象及びネジの折れと、歯牙をインプラントに固定するために歯牙に穴を開けなければならないため耐久性が低下する欠点と、インプラントの植込み後に問題が発生するとき、歯牙（
クラウン又は金属）を破壊しなければならない欠点を全て改善することができる特有の特徴的構造によって手軽い方法で締結及び分離することができるから、インプラントの植込み後に問題が発生するときに歯牙を破壊せずに易しく分離することができ、再施術及び補正が可能であり、ネジ締結方式を用いないので、緩み及び破折が発生しなく、歯牙に穴を開けなくても良いので、強い耐久性を提供することができる着脱可能なインプラント結合補綴物である。
【０１０９】
以上で説明した本発明は前述した実施例及び添付図面に限定されるものではなく、本発明の技術的思想を逸脱しない範疇内でさまざまな置換、変形及び変更が可能であるのは本発明が属する技術分野で通常の知識を有する者に明らかであろう。
【産業上の利用可能性】
【０１１０】
本発明は着脱が可能に設計してインプラント及び結合補綴物の補正及び再施術時に易しく分離及び結合することができる着脱可能なインプラント結合補綴物に関するもので、インプラントの植込み後に問題が発生するとき、歯牙を破壊せずに易しく分離することができるようにすることにより、炎症又は歯周炎の治療時に患者の不便を改善させる効果と費用節減の効果を発揮し、インプラントの治療時に適用可能である。
【図１】
2019506257.tif 000003
【図２】
2019506257.tif 000004
【図３】
2019506257.tif 000005
【図４】
2019506257.tif 000006
【図５】
2019506257.tif 000007
【図６】
2019506257.tif 000008
【図７】
2019506257.tif 000009
【図８】
2019506257.tif 000010
【図９】
2019506257.tif 000011
【図１０】
2019506257.tif 000012
【図１１】
2019506257.tif 000013
【図１２】
2019506257.tif 000014
【図１３】
2019506257.tif 000015
【図１４】
2019506257.tif 000016
【図１５】
2019506257.tif 000017
【国際調査報告】
2019506257.tif 000018
2019506257.tif 000019
2019506257.tif 000020
2019506257.tif 000021